(57)【要約】      （修正有）【課題】優れたイオン伝導度を有するイオン性液体含有ゲルの提供。【解決手段】下記一般式（１）を加水分解し得られるフルオロアルキル基含有オリゴマー粒子と、イオン性液体とからなるイオン性液体含有ゲル。2011190292.tif 000012【選択図】なし【特許請求の範囲】
【請求項１】
下記一般式（１）で表されるアルコキシシリル基を有するフルオロアルキル基含有オリゴマー及び反応溶媒を含む反応原料溶液に、アルカリを加えて該アルコキシシリル基の加水分解反応を行い得られるフルオロアルキル基含有オリゴマー粒子と、イオン性液体とを接触させることにより生成されたものであることを特徴とするイオン性液体含有ゲル。
【化１】
2011190292.tif 000010
（式中、Ｒ１及びＲ２は、−（ＣＦ２）ｐ−Ｙ基、又は−ＣＦ（ＣＦ３）−[ＯＣＦ２ＣＦ（ＣＦ３）]ｑ−ＯＣ３Ｆ７基を示し、Ｒ１及びＲ２は、同一の基であっても異なる基であってもよく、Ｒ１及びＲ２中のＹは水素原子、フッ素原子又は塩素原子を示し、ｐ及びｑは０〜１０の整数である。Ｒ３、Ｒ４及びＲ５は同一の基であっても異なる基であってもよく、Ｒ３、Ｒ４及びＲ５は炭素数１〜５の直鎖状若しくは分岐状のアルキル基を示す。ｍは２〜３の整数である。）
【請求項２】
イオン性液体を２０〜９９．９質量％含有することを特徴とする請求項１記載のイオン性液体含有ゲル。
【請求項３】
下記一般式（１）で表されるアルコキシシリル基を有するフルオロアルキル基含有オリゴマー及び反応溶媒を含む反応原料溶液に、アルカリを加えて該アルコキシシリル基の加水分解反応を行ってフルオロアルキル基含有オリゴマー粒子を得る工程、次いで該フルオロアルキル基含有オリゴマー粒子とイオン性液体とを混合処理する工程を有することを特徴とするイオン性液体含有ゲルの製造方法。
【化２】
2011190292.tif 000011
（式中、Ｒ１及びＲ２は、−（ＣＦ２）ｐ−Ｙ基、又は−ＣＦ（ＣＦ３）−[ＯＣＦ２ＣＦ（ＣＦ３）]ｑ−ＯＣ３Ｆ７基を示し、Ｒ１及びＲ２は、同一の基であっても異なる基であってもよく、Ｒ１及びＲ２中のＹは水素原子、フッ素原子又は塩素原子を示し、ｐ及びｑは０〜１０の整数である。Ｒ３、Ｒ４及びＲ５は同一の基であっても異なる基であってもよく、Ｒ３、Ｒ４及びＲ５は炭素数１〜５の直鎖状若しくは分岐状のアルキル基を示す。ｍは２〜３の整数である。）
【請求項４】
前記反応溶媒がメタノールであることを特徴とする請求項３記載のイオン性液体含有ゲルの製造方法。
【請求項５】
前記混合処理は超音波照射により行うことを特徴とする請求項３記載のイオン性液体含有ゲルの製造方法。
【請求項６】
請求項１又は２の何れか１項に記載のイオン性液体含有ゲルを含有することを特徴とするイオン伝導体。
【請求項７】
高分子固体電解質として用いられる請求項６記載のイオン伝導体。
【発明の詳細な説明】
【技術分野】
【０００１】
本発明は、イオン性液体を含有するゲル、その製造方法及び該ゲルを用いたイオン伝導体に関するものである。
【背景技術】
【０００２】
イオン性液体は、カチオンとアニオンとの塩であり、常温、常圧では液体であり、沸点を持たない物質であるが、そのうちのいくつかは、２０世紀初頭から電気化学の分野では、研究されてきた。しかし、他の用途については、研究されていなかった。
【０００３】
ところが、１９９０年代になり、グリーンケミストリーが叫ばれるようになると、イオン性液体は、不燃性、不揮発性等の興味深い性質を示すことから、注目を集め始めた。そのため、種々のイオン性液体が開発されるようになった。そして、近年、イオン性液体を、不燃性、不揮発性かつ極性の高い溶媒として利用することについて研究が進められている。
【０００４】
しかし、溶媒としての用途以外については、イオン性液体の利用方法については、未だ開発されておらず、今後、イオン性液体の新規な用途が期待される。
【０００５】
イオン性液体の新規な用途の１つとして、イオン性液体を含有する機能性材料が考えられる。このため、本発明者らは、先に溶媒や樹脂に均一に分散させることができる粒子表面にイオン性液体を固定化した粉末状のシリカコンポジット粒子を提案した（特許文献１参照）。
【０００６】
近年、イオン伝導性の高い高分子材料が注目され、固体状態でイオン伝導性の高い高分子材料は、次世代のリチウムイオン二次電池用電解質として、特に注目されている。
【０００７】
下記非特許文献１には、ナノシリカ粒子によりイオン性液体をゲル化させることが開示されている。
【先行技術文献】
【特許文献】
【０００８】
【特許文献１】特開２００７−２７０１２４号公報（特許請求の範囲）
【非特許文献】
【０００９】
【非特許文献１】Ｊ．Ｐｈｙｓ．Ｃｈｅｍ．Ｂ  ２００８,１１２,９０１３−９０１９
【発明の概要】
【発明が解決しようとする課題】
【００１０】
非特許文献１によれば、ホモジナイザー等の強力な混合手段を用い、更に２４時間７０℃で真空乾燥を行わないと均一なゲルが得られにくいという問題がある。
本発明者らは、更にイオン性液体を含有する機能材料の開発を進める中で、アルコキシシリル基を有する特定のフルオロアルキル基含有オリゴマーを用い、溶媒中で該アルコキシシリル基の加水分解を行うことにより得られるフルオロアルキル基含有オリゴマー粒子はイオン性液体に対して優れた分散性を示すこと。また、該フルオロアルキル基含有オリゴマー粒子と、イオン性液体を混合処理すると、該フルオロアルキル基含有オリゴマー粒子が媒体となって容易に超音波処理等の混合処理によりイオン性液体が含有されたゲルが得られ、該フルオロアルキル基含有オリゴマー粒子はイオン性液体に対して高いゲル形成能を有すること。また、該ゲルは優れたイオン伝導性を有するものであることを知見し、本発明を完成するに到った。
【００１１】
したがって、本発明の課題は、イオン性液体を含有し、優れたイオン伝導性を有するイオン性液体含有ゲルを提供することにある。また、本発明の課題は、該ゲルを工業的に有利な方法で製造することができる方法を提供することにある。
【課題を解決するための手段】
【００１２】
すなわち、本発明の第１の発明は、下記一般式（１）で表されるアルコキシシリル基を有するフルオロアルキル基含有オリゴマー及び反応溶媒を含む反応原料溶液に、アルカリを加えて該アルコキシシリル基の加水分解反応を行い得られるフルオロアルキル基含有オリゴマー粒子と、イオン性液体とを接触させることにより生成されたものであることを特徴とするイオン性液体含有ゲルである。
【００１３】
【化１】
2011190292.tif 000002
（式中、Ｒ１及びＲ２は、−（ＣＦ２）ｐ−Ｙ基、又は−ＣＦ（ＣＦ３）−[ＯＣＦ２ＣＦ（ＣＦ３）]ｑ−ＯＣ３Ｆ７基を示し、Ｒ１及びＲ２は、同一の基であっても異なる基であってもよく、Ｒ１及びＲ２中のＹは水素原子、フッ素原子又は塩素原子を示し、ｐ及びｑは０〜１０の整数である。Ｒ３、Ｒ４及びＲ５は同一の基であっても異なる基であってもよく、Ｒ３、Ｒ４及びＲ５は炭素数１〜５の直鎖状若しくは分岐状のアルキル基を示す。ｍは２〜３の整数である。）
また、本発明が提供しようとする第２の発明は、下記一般式（１）で表されるアルコキシシリル基を有するフルオロアルキル基含有オリゴマー及び反応溶媒を含む反応原料溶液に、アルカリを加えて該アルコキシシリル基の加水分解反応を行ってフルオロアルキル基含有オリゴマー粒子を得る工程、次いで該フルオロアルキル基含有オリゴマー粒子とイオン性液体とを混合処理する工程を有することを特徴とするイオン性液体含有ゲルの製造方法である。
【００１４】
【化２】
2011190292.tif 000003
（式中、Ｒ１及びＲ２は、−（ＣＦ２）ｐ−Ｙ基、又は−ＣＦ（ＣＦ３）−[ＯＣＦ２ＣＦ（ＣＦ３）]ｑ−ＯＣ３Ｆ７基を示し、Ｒ１及びＲ２は、同一の基であっても異なる基であってもよく、Ｒ１及びＲ２中のＹは水素原子、フッ素原子又は塩素原子を示し、ｐ及びｑは０〜１０の整数である。Ｒ３、Ｒ４及びＲ５は同一の基であっても異なる基であってもよく、Ｒ３、Ｒ４及びＲ５は炭素数１〜５の直鎖状若しくは分岐状のアルキル基を示す。ｍは２〜３の整数である。）
また、本発明が提供しようとする第３の発明は、前記第１の発明のイオン性液体含有ゲルを含有することを特徴とするイオン伝導体である。
【発明の効果】
【００１５】
本発明のゲルは、イオン性液体が固定化された新規な機能性材料であり、イオン伝導性に優れ、イオン性液体本来の優れたイオン伝導性を保持する。該イオン性液体含有ゲルは、例えば、リチウム二次電池、キャパシタ、光電変換素子等の高分子電解質として用いることが出来る。また、該ゲルは、フルオロアルキル基含有オリゴマー粒子と、イオン性液体とを超音波処理等の簡易的な混合手段により、工業的に有利に製造することができる。
【図面の簡単な説明】
【００１６】
【図１】イオン性液体（化合物（Ｂ））をそれぞれ１質量％、３質量％及び５質量％添加して得られたゲルの表面状態を示す走査型電子顕微鏡写真（ＳＥＭ）。
【図２】実施例３で得られたイオン性液体含有ゲルのおける温度と粘度の関係を示す図。
【発明を実施するための形態】
【００１７】
以下、本発明をその好ましい実施形態に基づき説明する。
本発明のイオン性液体含有ゲルは、フルオロアルキル基含有オリゴマー粒子とイオン性液体とを接触させて得られるものである。
【００１８】
前記フルオロアルキル基含有オリゴマー粒子は、下記一般式（１）
【化３】
2011190292.tif 000004
（式中、Ｒ１及びＲ２は、−（ＣＦ２）ｐ−Ｙ基、又は−ＣＦ（ＣＦ３）−[ＯＣＦ２ＣＦ（ＣＦ３）]ｑ−ＯＣ３Ｆ７基を示し、Ｒ１及びＲ２は、同一の基であっても異なる基であってもよく、Ｒ１及びＲ２中のＹは水素原子、フッ素原子又は塩素原子を示し、ｐ及びｑは０〜１０の整数である。Ｒ３、Ｒ４及びＲ５は同一の基であっても異なる基であってもよく、Ｒ３、Ｒ４及びＲ５は炭素数１〜５の直鎖状若しくは分岐状のアルキル基を示す。ｍは２〜３の整数である。）
で表されるアルコキシシリル基を有するフルオロアルキル基含有オリゴマー及び反応溶媒を含む反応原料溶液に、アルカリを加えて、前記アルコキシシリル基を加水分解することにより、得られるものである。
【００１９】
前記一般式（１）で表されるアルコキシシリル基を有するフルオロアルキル基含有オリゴマーは、例えば、トリメトキシビニルシラン等のトリアルコキシシランを過酸化フルオロアルカノイルと反応さることにより、製造することができる（例えば、特開２００２−３３８６９１号公報参照）。
【００２０】
反応原料溶液に加えるアルカリは、アルコキシシリル基の加水分解を行うことができるものであれば、特に制限されず、例えば、水酸化アンモニウム、水酸化ナトリウム又は水酸化カリウム等が挙げれ、この中、水酸化アンモニウムが反応性に優れ、また、高純度で目的物を得ることができることから特に好ましく用いられる。反応原料溶液に加えるアルカリの混合量は、特に制限されず、適宜選択される。
【００２１】
前記反応溶媒としては、一般式（１）で表されるアルコキシシリル基を有するフルオロアルキル基含有オリゴマーを溶解するものが用いられ、例えば、メタノール、エタノール、イソプロピルアルコール等の低級アルコールが挙げられ、この中で、メタノールが特に反応効率を高めることができる観点から好ましい。
アルコキシシリル基を加水分解する際の温度は、−５〜５０℃、好ましくは０〜３０℃である。反応温度が、−５０℃未満だとアルコキシシリル基の加水分解速度が遅くなり過ぎるので、反応効率が悪く、また、５０℃を超えると、得られるフルオロアルキル基含有オリゴマー粒子の分散安定性が低くなり易い。また、反応原料溶液に、アルカリを混合して、アルコキシシリル基の加水分解を行う際の反応時間は、特に制限されず、適宜選択されるが、好ましくは１〜７２時間、特に好ましくは１〜２４時間である。
【００２２】
本発明では、反応液から、反応溶媒を蒸発させ除去して、フルオロアルキル基含有オリゴマー粒子を得る溶媒蒸発除去工程を行い、該反応液からフルオロアルキル基含有オリゴマー粒子を回収することができる。溶媒蒸発除去工程では、常圧又は減圧下で反応溶媒が蒸発する温度に加熱して、反応溶媒の蒸発除去を行う。また、必要により更に乾燥を行ってフルオロアルキル基含有オリゴマー粒子を得ることができる。
【００２３】
前記フルオロアルキル基含有オリゴマー粒子の好ましい物性としては、平均粒径が１０〜１０００ｎｍ、好ましくは１００〜３００ｎｍである。平均粒径が前記範囲内にあると、イオン性液体への分散性が良好である点で好ましい。
【００２４】
本発明のイオン性液体含有ゲルは、前記フルオロアルキル基含有オリゴマー粒子とイオン性液体とを混合処理して接触させることで得られる。
【００２５】
用いることができるイオン性液体は、カチオンとアニオンとの塩であり、常温（２５℃）、常圧（０．１ＭＰａ）で液体であり、且つ沸点を持たない物質であれば、特に制限されない。例えば、イオン性液体を構成するカチオンとしては、アミジニウムカチオン、グアニジニウムカチオン及び３級アンモニウムカチオン、４級アンモニウムカチオン、ホスホニウムカチオン等が挙げられる。
【００２６】
前記アミジニウムカチオンとしては、例えばイミダゾリニウムカチオン、イミダゾリウムカチオン、テトラヒドロピリミジウムカチオン、ジヒドロピリミジウムカチオン等が挙げられる。
【００２７】
前記グアニジニウムカチオンとしては、例えばイミダゾリニウム骨格を有するグアニジニウムカチオン、イミダゾリウム骨格を有するグアニジニウムカチオン、テトラヒドロピリミジニウム骨格を有するグアニジニウムカチオン、ジヒドロピリミジニウム骨格を有するグアニジニウムカチオン等が挙げられる。
【００２８】
３級アンモニウムカチオンとしては、例えばメチルジラウリルアンモニウム等が挙げられる。
【００２９】
４級アンモニウムカチオン又はホスホニウムカチオンとしては、下記一般式（２）で表されるものを用いることができる。
【００３０】
【化４】
2011190292.tif 000005
（式中、ＱはＰ原子又はＮ原子を示す。）
前記一般式（２）の式中、Ｒ６、Ｒ７、Ｒ８及びＲ９は、炭素数１〜１８の直鎖状若しくは分岐鎖状のアルキル基、シクロアルキル基、アリル基、又はフェニル基を示す。また、Ｒ６、Ｒ７、Ｒ８及びＲ９はシリカ原子を含む基であってもよい。Ｒ６、Ｒ７、Ｒ８及びＲ９が、シクロアルキル基又はフェニル基の場合、例えば、４−メチルシクロヘキシル基、４−メチルフェニル基のように、シクロアルキル環又はベンゼン環の水素原子の一部が、アルキル基で置換されていてもよい。また、Ｒ６、Ｒ７、Ｒ８及びＲ９は、同一の基であっても異なる基であってもよい。また、Ｒ６、Ｒ７、Ｒ８及びＲ９は、炭素数１〜１８の直鎖状若しくは分岐鎖状のアルキル基、シクロアルキル基、アリル基又はフェニル基の水素原子の一部が、ヒドロキシル基、アミノ基、アルコキシ基等の置換基で置換されている基であってもよい。
【００３１】
式中のｎは、アニオン（Ｙ）の価数（Ｙｎ−）により定まり、アニオン（Ｙ）の価数（Ｙｎ−）が１価の場合（ｎが１の場合）、４級アンモニウムカチオン又はホスホニウムカチオンの式中のｎの数は１であり、アニオン（Ｙ）の価数（Ｙｎ−）２価の場合（ｎが２の場合）、４級アンモニウムカチオン又はホスホニウムカチオンの式中のｎの数は２である。そして、ｎは、１〜２の整数である。
【００３２】
また、イオン性液体を構成するアニオンとしては、例えば、ベンゾトリアゾールイオン、フッ素イオン、塩素イオン、臭素イオン、ヨウ素イオン、ＢＦ４−、ＰＦ６−、ＰＯ２（ＯＭｅ）２−、ＰＳ２（ＯＥｔ）２−、（ＣＯ２Ｍｅ）２ＰｈＳＯ３−、ＣＦ３ＳＯ３、ＨＳＯ４−、（ＣＦ３ＳＯ２）２Ｎ−等の１価のアニオン；ＳＯ４２−等の２価のアニオンが挙げられ、ここに例示したアニオンが、製造が易いという点で好ましい。
【００３３】
本発明において、好ましいイオン性液体は、カチオンがトリ−ｎ−ブチル−アリルアンモニウム塩、トリ−ｎ−ブチルメチルアンモニウム塩、トリエチルドデシルアンモニウム塩、トリ−ｎ−ブチル｛３−（トリメトキシシリル）プロピル｝アンモニウム塩、１−ブチル−３−メチルイミダゾニウム塩、１−エチル−３−メチルイミダゾリウム塩、エチルイミダゾリウム塩、トリ−ｎ−ブチル−アリルホスホニウム塩、トリ−ｎ−ブチルメチルホスホニウム塩、トリエチルドデシルホスホニウム塩、トリ−ｎ−ブチル｛３−（トリメトキシシリル）プロピル｝ホスホニウム塩、トリ−ｎ−オクチル｛３−（トリメトキシシリル）プロピル｝ホスホニウム塩、トリ−ｎ−ブチル（２−ヒドロキシエチル）ホスホニウム塩であり、アニオンが（ＣＦ３ＳＯ２）２Ｎ−、ＰＦ６−、ＨＳＯ４−、ＣＦ３ＳＯ３、塩素イオン、又はヨウ素イオンであるとイオン伝導性が高いものが得られる点で好ましい。
【００３４】
前記フルオロアルキル基含有オリゴマー粒子とイオン性液体との混合処理は、前記イオン性液体に前記フルオロアルキル基含有オリゴマー粒子を添加して行うことが望ましい。該フルオロアルキル基含有オリゴマー粒子のイオン性液体への添加量は、該フルオロアルキル基含有オリゴマー粒子の添加によりゲル化を起こす範囲であれば特に制限はなく、多くの場合、イオン性液体１００重量部に対して、フルオロアルキル基含有オリゴマー粒子を１〜５０重量部、好ましくは１〜１５重量部、特に好ましくは５〜１０重量部添加する。特に、イオン性液体を２０〜９９．９質量％、好ましくは８５〜９９質量％、いっそ好ましくは９０〜９５質量％含有するゲルは優れたイオン伝導性を示すイオン伝導体として好適に用いることができ、かかるイオン伝導体は、高分子電解質として好適に用いることができる。
【００３５】
混合処理方法は、ミキサー等の強力なせん断力が作用する機械的手段で行ってよいが、本発明では超音波照射を行っても容易に目的とするイオン性液体含有ゲルを得ることができる。
【００３６】
超音波処理の条件等は、用いるイオン性液体やフルオロアルキル基含有オリゴマー粒子の添加量等により異なるが、多くの場合、超音波の出力が５０〜５００Ｗ、好ましくは１００〜２００Ｗで、１時間以上、好ましくは２〜２４時間である。
【００３７】
本発明のイオン性液体含有ゲルは、フルオロアルキル基に起因する撥水性を有していることから、撥水性を材料に付与する添加剤としての用途にも期待できる他、優れたイオン伝導性を有することから、特にイオン伝導体として有用であり、例えば、リチウム二次電池、キャパシタ、光電変換素子等の高分子電解質として用いることもできる。
【００３８】
次いで、本発明のイオン伝導体を用いた高分子電解質について説明する。
【００３９】
本発明の高分子電解質は、該イオン性液体含有ゲルを含有するものであり、該高分子電解質はゲル状の形態を有するものである。
【００４０】
本発明において高分子電解質は、その形態がゲル状である限りにおいて、水又は非プロトン性溶媒を含有させることができる。
【００４１】
前記非プロトン性溶媒としては、例えば、Ｎ−メチル−２−ピロリジノン、プロピレンカーボネート、エチレンカーボネート、ブチレンカーボネート、ジメチルカーボネート、ジエチルカーボネート、γ−ブチロラクトン、１，２−ジメトキシエタン、テトラヒドロキシフラン、２−メチルテトラヒドロフラン、ジメチルスルホキシド、１，３−ジオキソラン、ホルムアミド、ジメチルホルムアミド、ジオキソラン、アセトニトリル、ニトロメタン、蟻酸メチル、酢酸メチル、リン酸トリエステル、トリメトキシメタン、ジオキソラン誘導体、スルホラン、３−メチル−２−オキサゾリジノン、プロピレンカーボネート誘導体、テトラヒドロフラン誘導体、ジエチルエーテル、１，３−プロパンサルトン、プロピオン酸メチル、プロピオン酸エチル等の非プロトン性有機溶媒の１種または２種以上を混合した溶媒が挙げられる。
【００４２】
更に、本発明の高分子電解質は、他の電解質と併用することが出来る。他の電解質としては、水叉は非プロトン性溶媒に溶解するものであれば特に限定されないが、例えば、ＬｉＣｌＯ4 、ＬｉＣｌ、ＬｉＢｒ、ＬｉＩ、ＬｉＢＦ4 、ＬｉＰＦ6 、ＬｉＣＦ3 ＳＯ3 、ＬｉＡｓＦ6 、ＬｉＡｌＣｌ4、ＬｉＢ（Ｃ6 Ｈ6）4、ＣＦ3 ＳＯ3 Ｌｉ、ＬｉＳｂＦ6 、ＬｉＢ10Ｃｌ10、ＬｉＳｉＦ6、ＬｉＮ（ＳＯ2ＣＦ3）2、ＬｉＣ（ＳＯ2ＣＦ3）2、ＬｉＮ（ＣＦ3ＳＯ3）2、低級脂肪酸カルボン酸リチウム、クロロボランリチウム及び４フェニルホウ酸リチウム等が挙げられ、これらのリチウム塩は、１種又は２種以上で用いられる。これらのリチウム塩のうち、ＬｉＮ（ＣＦ3ＳＯ3）2、ＣＦ3 ＳＯ3 Ｌｉ、ＬｉＰＦ6が電解質のイオン伝導性の点から好ましく、ＬｉＮ（ＣＦ3ＳＯ3）2が特に好ましい。これらのリチウム塩の好ましい添加量は、本発明の効果を損なわない範囲であれば特に制限されるものではない。
【００４３】
本発明の高分子電解質は、特にリチウム二次電池、キャパシタ、光電変換素子等の高分子電解質として好適に用いることが出来る。
【実施例】
【００４４】
以下、本発明を実施例により詳細に説明するが、本発明はこれらに限定されるものではない。
（アルコキシシリル基を有するフルオロアルキル基含有オリゴマーの調製）
トリメトキシビニルシラン（２．３ｇ）を過酸化ペルフルオロ−２−メチル−３−オキサヘキサノイル（５．１ｇ）を含むＡＫ−２２５溶液１５０ｇに加え、窒素雰囲気下で４５ｏＣにて５時間反応を行った。反応終了後、反応溶液を除去し、次いで蒸留を行うことにより、目的とする一般式（１）に包含されるフルオロアルキル基含有オリゴマー（略称；ＲＦ−ＶＭオリゴマー）３．０ｇを得た。その結果を表１に示す。なお、ＡＫ−２２５は、旭硝子社製の不燃性フッ素系溶剤であり、その構造式はＣＦ３ＣＦ２ＣＨＣｌ２／ＣＣｌＦ２ＣＦ２ＣＨＣｌＦで表される。
【００４５】
【表１】
2011190292.tif 000006
＊表１中、分子量は、ゲル浸透クロマトグラフィー（ＧＰＣ、ポリスチレン換算）による数平均分子量である。
【００４６】
｛実施例１〜４｝
（フルオロアルキル基含有オリゴマー粒子の調製）
５０ｍｌのサンプル瓶に、メタノール２０ｍｌを入れ、次いでＲＦ−ＶＭオリゴマー０．１ｇ及びＮＨ３（２５ｗｔ％）５ｍｌを加え、５時間室温下でマグネチックスターラーにて攪拌し、エバポレーターにより溶媒除去を行った。次いで、真空乾燥を１日行って、フルオロアルキル基含有オリゴマー粒子（収率７８％）を得た。
【００４７】
得られたフルオロアルキル基含有オリゴマー粒子の平均粒径を、メタノールに再分散させて光散乱光度計（大塚電子製のＤＬＳ−６０００ＨＬ）を用いて測定した結果、平均粒径は１８０ｎｍであった。
【００４８】
（ゲルの調製）
イオン性液体にフルオロアルキル基含有オリゴマー粒子を添加することにより、ゲルを形成するのに必要なフルオロアルキル基含有オリゴマー粒子の最小添加量（以下、「最小ゲル化濃度」という）を求めた。なお、実験方法は以下のとおりである。
【００４９】
前記で調製したフルオロアルキル基含有オリゴマー粒子を、各種のイオン性液体０．５ｇに添加し、１２０Ｗで１２時間超音波をかけることによりゲルが形成（２５℃）されるどうか確認した。また、形成されたゲルの状態を目視で観察した。
また、用いたイオン性液体は、以下の化学式（Ａ）〜（Ｄ）のものを使用した。
【００５０】
【化５】
2011190292.tif 000007
（式中、ａｌｌｙｌはアリル基を、ｎ−Ｂｕはｎ−ブチル基、Ｍｅはメチル基、ｎ−Ｄｏはｎ−ドデシル基を示す。）
また、イオン性液体（化合物（Ｂ））をそれぞれ１質量％、３質量％及び５質量％添加して得られたゲルの表面状態を示す走査型電子顕微鏡写真（ＳＥＭ）を図１に示す。
図１の結果より、フルオロアルキル基含有オリゴマー粒子を１質量％〜３質量％添加させた系では、繊維状会合体が十分に形成しておらず、フルオロアルキル基含有オリゴマー粒子がところどころ観察される。これに対して最小ゲル化濃度の５質量％添加したものは、繊維状会合体が完全に形成していることが確認された。
【００５１】
｛比較例１｝
３０ｗｔ％シリカナノ粒子（メタノール分散、平均粒子経１１ｎｍ）を蒸留してメタノールを除去してシリカナノ粒子（平均粒径１０ｎｍ）を得た。
前記で調製したシリカナノ粒子を、イオン性液体（化学式（Ｃ））０．５ｇに１０ｗｔ％まで１ｗｔ％ずつ添加し、１２０Ｗで１２時間超音波をかけたところゲルが形成（２５℃）されなかった。
【００５２】
｛比較例２〜３｝
（シリカコンポジット粒子の調製）
５０ｍｌのサンプル瓶に、メタノール２０ｍｌを入れ、次いで市販のカップリング剤；Ｃ６Ｆ１３Ｃ２Ｈ４Ｓｉ（ＯＥｔ）３０．１０ｇ、テトラエトキシシラン（ＴＥＯＳ）２．３ｍｍｏｌ、ＮＨ３（２５ｗｔ％）５ｍｌを加え、５時間室温下でマグネチックスターラーにて攪拌し、エバポレーターにより溶媒除去を行った。次いで、真空乾燥を１日行って、シリカコンポジット粒子を得た。
得られたシリカコンポジット粒子の平均粒径を、メタノールに再分散させて光散乱光度計（大塚電子製のＤＬＳ−６０００ＨＬ）を用いて測定した結果、平均粒子径は２１６±４２ｎｍであった。
また、得られたシリカコンポジット粒子中のカップリング剤の含有量は７１質量％で、Ｓｉ含有量はＳｉＯ２として２９質量％であった。
なお、カップリング剤の含有量は、Ｆを元素分析して求めた。ＳｉＯ２含有量は、熱重量分析により求めた。
【００５３】
（ゲルの調製）
実施例１〜４と同様な操作方法にてイオン性液体にシリカコンポジット粒子を添加して、最小ゲル化濃度を求めた。また、形成されたゲルの状態を目視で観察した。
【００５４】
｛参考例１〜３｝
（シリカコンポジット粒子の調製）
５０ｍｌのサンプル瓶に、メタノール２０ｍｌを入れ、次いでＲＦ−ＶＭオリゴマー０．１ｇ、３０ｗｔ％シリカナノ粒子（メタノール分散、平均粒子経１１ｎｍ）３．３３ｇ、テトラエトキシシラン（ＴＥＯＳ）２．３ｍｍｏｌ、ＮＨ３（２５ｗｔ％）５ｍｌを加え、５時間室温下でマグネチックスターラーにて攪拌し、エバポレーターにより溶媒除去を行った。次いで、真空乾燥を１日行って、シリカコンポジット粒子を得た。
得られたシリカコンポジット粉末状粒子の平均粒径を、メタノールに再分散させて光散乱光度計（大塚電子製のＤＬＳ−６０００ＨＬ）を用いて測定した結果、平均粒子径は１３３±３３ｎｍであった。
また、得られたシリカコンポジット粒子中のフルオロアルキル基含有オリゴマーの含有量は５質量％で、Ｓｉ含有量はＳｉＯ２として９５質量％であった。
なお、フルオロアルキル基含有オリゴマーの含有量は、Ｆを元素分析して求めた。ＳｉＯ２含有量は、熱重量分析により求めた。
【００５５】
（ゲルの調製）
実施例１〜４と同様な操作方法にてイオン性液体にシリカコンポジット粒子を添加して、最小ゲル化濃度を求めた。また、形成されたゲルの状態を目視で観察した。
【００５６】
【表２】
2011190292.tif 000008
表２の結果から参考例１〜３のイオン性液体の最小ゲル化濃度は３５〜４０質量％でああったが、本発明のフルオロアルキル基含有オリゴマー粒子を用いることにより、イオン性液体のゲル化は５〜１０質量％と比較的低い濃度において、均一なゲル化が得られることが分かる。
【００５７】
（イオン伝導度の評価）
実施例１〜４及び参考例１〜３で得られたイオン性液体含有ゲルをパイレックス（登録商標）ガラスセルに入れ、真鍮で作成した上部電極を下部電極で挟み込み、導電率を室温（２５℃）にて測定した。また、マイクロヘッドを用いてゲルの厚さを測定した。これらの測定値から、イオン伝導度（σ）を算出した。また、イオン性液体を単独で用いた場合のイオン伝導度を表３に併記した
【００５８】
【表３】
2011190292.tif 000009
表３の結果、本発明のイオン性含有ゲルは参考例のイオン性液体含有ゲルと、導電率がほぼ同等で、また、イオン性液体単独で用いた場合と比べても導電率がほぼ同等のあることが分かる。
【００５９】
（温度依存性）
実施例３で得られたイオン性液体含有ゲルについて、温度毎の粘度を測定し、その結果を図２に示す。なお、イオン性液体（化合物（Ｃ））単独での温度毎の粘度も測定し、合わせて図２に併記した。
【００６０】
図２の結果より、温度上昇に伴い粘度が減少していることが観察された。低温度条件下においてはイオン性液体単独と比較して高粘度であるが、高温度条件下においてはほぼ同等の値となることが観察された。これは、低温度では繊維状会合体によりイオン性液体が束縛されているが、高温度では会合体がほぐれ、コロイド分散溶液になっているためと推測される。
【産業上の利用可能性】
【００６１】
本発明のゲルは、イオン性液体が固定化された新規な機能性材料であり、イオン伝導性に優れ、イオン性液体本来の優れたイオン伝導性を保持する。該イオン性液体含有ゲルは、例えば、リチウム二次電池、キャパシタ、光電変換素子等の高分子電解質として用いることが出来る。また、該ゲルは、フルオロアルキル基含有オリゴマー粒子と、イオン性液体とを超音波処理等の簡易的な混合手段により、工業的に有利に製造することができる。
【図１】
2011190292.tif 000013
【図２】
2011190292.tif 000014